(57)【要約】【課題】吐出不良を発生させることなく、複数シートへの画像記録完了までの時間を短縮することが可能な記録装置を提供する。【解決手段】積載部に積載された記録シートを連続して給送することで、複数の記録シートへ画像を記録可能な記録装置において、積載部から先に給送される記録シートである先行シートへの記録完了と、積載部から次に給送される記録シートである後続シートへの記録開始の間にメンテナンス動作を実施するメンテナンス部と、メンテナンス動作を実施するか否かを判定する判定部とを備え、判定部は、後続シートの給送方法に基づいて、メンテナンス動作を実施するか否かを判定する。【選択図】  図７
2016043495.tif 000002
【特許請求の範囲】
【請求項１】
積載部に積載された記録シートを連続して給送することで、複数の記録シートへ画像を記録可能な記録装置において、
前記積載部から先に給送される記録シートである先行シートへの記録完了と、前記積載部から次に給送される記録シートである後続シートへの記録開始の間にメンテナンス動作を実施するメンテナンス手段と、
前記メンテナンス動作を実施するか否かを判定する判定手段とを備え、
前記判定手段は、前記後続シートの給送方法に基づいて、前記メンテナンス動作を実施するか否かを判定することを特徴とする記録装置。
【請求項２】
前記判定手段は、前記先行シートの後端部と前記後続シートの先端部とが重なるように前記後続シートを給送する場合に、前記メンテナンス動作を実施しないと判定することを特徴とする請求項１に記載の記録装置。
【請求項３】
積載部に積載された記録シートを連続して給送することで、複数の記録シートへ画像を記録可能な記録装置において、
前記積載部から先に給送される記録シートである先行シートへの記録完了と、前記積載部から次に給送される記録シートである後続シートへの記録開始の間にメンテナンス動作を実施するメンテナンス手段と、
前記メンテナンス動作を実施するか否かを判定する判定手段と、
前記先行シートへの記録完了から、前記後続シートへの記録開始までの非記録時間を推定する推定手段とを備え、
前記判定手段は、前記推定手段により推定された前記非記録時間に基づいて、前記メンテナンス動作を実施するか否かを判定することを特徴とする記録装置。
【請求項４】
記録データから非記録領域を検出する検出手段をさらに備え、
前記検出手段は、前記先行シートの非記録領域、前記後続シートの非記録領域を検出し、
前記推定手段は、前記先行シートの非記録領域および前記後続シートの非記録領域における前記記録シートの給送方向の長さにより、前記非記録時間を推定することを特徴とする請求項３に記載の記録装置。
【請求項５】
前記記録装置は、移動可能な記録ヘッドにより前記記録シートへ画像を記録するインクジェット記録装置であり、
前記判定手段は、前記先行シートへの記録完了時における前記記録ヘッドの位置に基づいて、前記メンテナンス動作を実施するか否かを判定することを特徴とする請求項１乃至４のいずれか１項に記載の記録装置。
【請求項６】
前記メンテナンス手段は、前記記録ヘッドに予備吐出を実施させることを特徴とする請求項５に記載の記録装置。
【請求項７】
前記メンテナンス動作を実施せずに、連続で記録動作を実施した時間である連続記録時間を判定する時間判定手段をさらに備え、
前記判定手段は、前記時間判定手段により判定された前記連続記録時間に基づいて、前記メンテナンス動作を実施するか否かを判定することを特徴とする請求項１乃至６のいずれか１項に記載の記録装置。
【請求項８】
前記メンテナンス動作を実施せずに、連続で記録動作を実施した時間である連続記録時間を判定する時間判定手段をさらに備え、
前記時間判定手段によって、前記連続記録時間が長いと判定された場合は、記録シートへの記録動作の途中であっても、前記メンテナンス動作に代わるメンテナンス動作を実施することを特徴とする請求項１乃至６のいずれか１項に記載の記録装置。
【請求項９】
積載部に積載された記録シートを連続して給送することで、複数の記録シートへ画像を記録可能な記録装置を制御する方法であって、
前記積載部から先に給送される記録シートである先行シートへの記録完了と、前記積載部から次に給送される記録シートである後続シートへの記録開始の間にメンテナンス動作を実施するメンテナンス工程と、
前記メンテナンス動作を実施するか否かを判定する判定工程とを有し、
前記判定工程では、前記後続シートの給送方法に基づいて、前記メンテナンス動作を実施するか否かを判定することを特徴とする記録装置の制御方法。
【請求項１０】
積載部に積載された記録シートを連続して給送することで、複数の記録シートへ画像を記録可能な記録装置を制御する方法であって、
前記積載部から先に給送される記録シートである先行シートへの記録完了と、前記積載部から次に給送される記録シートである後続シートへの記録開始の間にメンテナンス動作を実施するメンテナンス工程と、
前記メンテナンス動作を実施するか否かを判定する判定工程と、
前記先行シートへの記録完了から、前記後続シートへの記録開始までの非記録時間を推定する推定工程とを有し、
前記判定工程では、前記推定工程により推定された前記非記録時間に基づいて、前記メンテナンス動作を実施するか否かを判定することを特徴とする記録装置の制御方法。
【請求項１１】
請求項９または１０に記載の制御方法の各工程をコンピュータに実行させるためのプログラム。
【請求項１２】
請求項９または１０に記載の制御方法の各工程をコンピュータに実行させるためのプログラムを記憶したコンピュータが読み取り可能な記憶媒体。
【発明の詳細な説明】
【技術分野】
【０００１】
本発明は、複数のシートへ画像の記録を行う記録装置に関し、詳細には先行シートへの記録完了と後続シートへの記録開始の間に、メンテナンス動作を実施する記録装置に関するものである。
【背景技術】
【０００２】
特許文献１には、複数のシートへ画像の記録を行う度、記録開始直前に予備吐出を実施するインクジェット記録装置について記載されている。
【先行技術文献】
【特許文献】
【０００３】
【特許文献１】特開２００９−２４１２６１号公報
【発明の概要】
【発明が解決しようとする課題】
【０００４】
しかしながら、特許文献１に記載された装置では、予備吐出を受容可能なキャップへ記録ヘッドを移動させて予備吐出を実施するため、複数のシートへ画像の記録を行う度、予備吐出実施のために記録ヘッドを移動させることとなる。そのため、複数シートへの画像記録完了までの時間が増加するという技術的な課題がある。
【０００５】
ところで、記録開始直前に予備吐出を実施する主目的は、先行シートの排出および後続シートの給送を行う間、記録動作によるインク吐出を行わないために発生しうる吐出不良を防止することである。よって先行シートの排出および後続シートの給送にかかる時間が短く、例えその間インク吐出を行わなくても吐出不良が発生しないと考えられる場合は、記録開始直前に予備吐出を実施しなくても問題ない。
【０００６】
本発明は上述した課題に鑑みてなされたものであり、その目的は、吐出不良を発生させることなく、複数シートへの画像記録完了までの時間を短縮することが可能な記録装置を提供することである。
【課題を解決するための手段】
【０００７】
本発明に係わる記録装置は、積載部に積載された記録シートを連続して給送することで、複数の記録シートへ画像を記録可能な記録装置において、前記積載部から先に給送される記録シートである先行シートへの記録完了と、前記積載部から次に給送される記録シートである後続シートへの記録開始の間にメンテナンス動作を実施するメンテナンス手段と、前記メンテナンス動作を実施するか否かを判定する判定手段とを備え、前記判定手段は、前記後続シートの給送方法に基づいて、前記メンテナンス動作を実施するか否かを判定することを特徴とする。
【発明の効果】
【０００８】
本発明によれば、吐出不良を発生させることなく、複数シートへの画像記録完了までの時間を短縮することが可能な記録装置を提供することができる。
【図面の簡単な説明】
【０００９】
【図１】本発明の第１の実施形態のインクジェット記録装置の構成図。
【図２】本発明の第１の実施形態のインクジェット記録装置の構成図。
【図３】インクジェット記録装置のシステム構成を示すブロック図。
【図４】後続シートの給送動作を示す図。
【図５】後続シートの給送動作を示す図。
【図６】キャリッジがキャップから離れている場合の予備吐出を説明する図。
【図７】第１の実施形態において後続シートの記録動作開始前に予備吐出を実施する条件をまとめた図。
【図８】第１の実施形態における予備吐出の種類と実施タイミングを示した図。
【図９】先行シートの排出および後続シートの給送にかかる時間を模式的に示した図。
【図１０】第２の実施形態において後続シートの記録動作開始前に予備吐出を実施する条件をまとめた図。
【図１１】第３の実施形態において後続シートの記録動作開始前に予備吐出を実施する条件をまとめた図。
【図１２】第４の実施形態において後続シートの記録動作開始前に予備吐出を実施する条件をまとめた図。
【図１３】第４の実施形態における予備吐出の種類と実施タイミングを示した図。
【発明を実施するための形態】
【００１０】
以下、本発明の実施形態について、添付図面を参照して詳細に説明する。
【００１１】
（第１の実施形態）
図１および図２は、本発明の第１の実施形態における、記録シートを連続して給送することで、複数の記録シートへ画像を記録可能なインクジェット記録装置の構成図である。図１は、記録シート搬送方向の断面を模式的に示した図である。
【００１２】
複数枚の記録シート１は給送トレイ１０（積載部）に積載されている。給送トレイ１０に積載された最上位の記録シート１は、ピックアップローラ１１によりピックアップされ、給送ローラ１２によりシート搬送方向の下流側へ給送される。そして記録シート１は、搬送ローラ１４により記録ヘッド２２と対向する位置へ搬送され、記録ヘッド２２からインクを吐出することにより記録シート１に記録が行われる。その後記録シート１は、排出ローラ１５により装置外へ排出される。
【００１３】
プラテン１６は、記録ヘッド２２と対向する位置で記録シート１の裏面を支持する。キャリッジ２１は記録ヘッド２２を搭載してシート搬送方向（給送方向）と交差する方向へ移動可能である。給送ローラ１２と搬送ローラ１４の間では、記録シート１は搬送ガイド１３により案内される。シート押えレバー１７により、後続シートの先端部を先行シートの後端部に重ねることができる。
【００１４】
図２は、記録シート上面から見た位置関係を模式的に示した図である。キャリッジ２１をガイド２４に沿って往復移動させることにより記録シート１に記録を行うとともに、キャリッジ２１をキャップ２３と対向した位置へ移動させ、記録ヘッド２２から予備吐出を行わせることができる。
【００１５】
図３は、インクジェット記録装置における制御部を中心とするシステム構成を示すブロック図である。制御部３１は、制御を司るＣＰＵ３２、制御時に一時データを格納するＲＡＭ３４、制御プログラムが格納されたＲＯＭ３３を備えて構成されている。制御部３１は、Ｉ／Ｆ４１を介してホスト装置４２と接続されており、ホスト装置４２から記録画像データ（記録データ）や記録画像の属性情報などを受信する。
【００１６】
制御部３１には、各種センサ４３が接続されており、センサ信号を取得することができる。また各種エンコーダ４４が接続されており、キャリッジ２１の位置などを検出することができる。さらに制御部３１には、モータドライバ４５とヘッド駆動回路４７が接続されている。制御部３１は、モータドライバ４５へ指令を送出することにより、ピックアップローラ１１、給送ローラ１２、搬送ローラ１４、排出ローラ１５、キャリッジ２１などを動作させる各種モータ４６を駆動する。また制御部３１は、ヘッド駆動回路４７へ指令を送出することにより、記録ヘッド２２からインクを吐出させる。制御部３１は、各種モータ４６の駆動および記録ヘッド２２からのインク吐出の組み合わせにより、記録動作および予備吐出（メンテナンス動作）を制御することができる。
【００１７】
図４及び図５は、インクジェット記録装置における後続シートの給送動作を示したものである。
【００１８】
先行シート１ａの記録動作中、ピックアップローラ１１および給送ローラ１２を回転させ、後続シート１ｂを高速に移動させる。これにより、図４のＳＴ１に示すように、先行シート１ａの後端部と後続シート１ｂの先端部が重なった、重なり状態を形成することができる。その後、搬送ローラ１４が停止しているときに給送ローラ１２を回転させることによって、後続シート１ｂの先端を搬送ローラ１４に突き当てて後続シート１ｂの斜行矯正動作を行う。そして先行シート１ａへの記録動作終了後、図４のＳＴ２に示すように、搬送ローラ１４を回転させることによって重なり状態を維持して後続シート１ｂの頭出しを行うことができる。
【００１９】
図４のＳＴ２に示すように重なり状態を維持して後続シート１ｂの頭出しを行うことができるのは、所定条件を満たしたときに限られる。所定条件とは、先行シート１ａの後端および後続シート１ｂの先端に非記録領域（余白）が一定以上存在することなどである。所定条件を満たさない場合は、図４のＳＴ１に示すように重なり状態を形成した後、先行シート１ａの記録動作終了後に搬送ローラ１４および排出ローラ１５を回転させ、先行シート１ａを排出することにより重なり状態を解消する。その後後続シート１ｂの斜行矯正動作を行い、図４のＳＴ３に示すように、重なりが解消した状態で後続シート１ｂの頭出しを行う。
【００２０】
一方、ホスト装置４２から記録画像の属性情報として剛性の高いシート種類が指定された場合は、先行シート１ａの後端と後続シート１ｂの先端が衝突して重なり状態を適切に形成できない可能性があるため、図４のＳＴ１に示すような重なり状態を形成しない。この場合、先行シート１ａの記録動作終了後に搬送ローラ１４および排出ローラ１５を回転させ、先行シート１ａの排出を開始してから、ピックアップローラ１１および給送ローラ１２を回転させ、図５のＳＴ４に示すように後続シートの給送を行う。その後後続シート１ｂの斜行矯正動作を行い、図５のＳＴ５に示すように後続シート１ｂの頭出しを行う。
【００２１】
図５のＳＴ４に示すように、先行シート１ａの排出を開始してから後続シート１ｂの給送を行う場合は、先行シート１ａの記録動作終了（記録完了）から後続シート１ｂの記録動作開始（記録開始）までに時間がかかる。この間記録動作によるインク吐出を行わないので、水分蒸発などによる吐出不良が発生する可能性がある。これを防止するため、後続シート１ｂの記録動作開始前に予備吐出を実施する。ここで実施する予備吐出の種類は、比較的多くのインクを吐出する第１の予備吐出である。第１の予備吐出を実施することにより、先行シート１ａの記録動作終了から後続シート１ｂの記録動作開始までに時間がかかる場合であっても、記録動作における吐出不良を防止することができる。予備吐出の際は先述の通り、キャリッジ２１をキャップ２３と対向した位置へ移動させる必要がある。先行シート１ａの記録動作終了時（記録完了時）、図６に示すようにキャリッジ２１がキャップ２３から離れている場合は、予備吐出のためキャリッジ２１を移動させるのに時間がかかる。
【００２２】
一方図４のＳＴ１に示すように、先行シート１ａの後端部と後続シート１ｂの先端部の重なり状態を形成して後続シート１ｂの給送を行う場合は、先行シート１ａの記録動作終了から後続シート１ｂの記録動作開始までにかかる時間が非常に短い。すなわち記録動作によるインク吐出を行わない時間も短く、後述する記録動作中（記録動作途中）の予備吐出間隔に比べて十分短いので、後続シート１ｂの記録動作開始前の第１の予備吐出を必ずしも実施しなくてよい。先行シート１ａの記録動作終了時、図６に示すようにキャリッジ２１がキャップ２３から離れている場合に、予備吐出の実施を省略することで、キャップ２３と対向した位置へのキャリッジ２１の移動を省略することができる。キャリッジ２１をキャップ２３と対向した位置へ移動させ、第１の予備吐出を実施するのにかかる時間は、図４のＳＴ１に示す方法で後続シート１ｂを給送するのにかかる時間と比べて長い。そのため、第１の予備吐出の実施を省略することで、先行シート１ａの記録動作終了から後続シート１ｂの記録動作開始までにかかる時間をさらに短縮することができる。
【００２３】
以上のように、本実施形態では重なり状態を形成して後続シート１ｂの給送を行い、後続シート１ｂの記録動作開始前の予備吐出を省略する。これにより、吐出不良を発生させることなく、先行シート１ａの記録動作終了から後続シート１ｂの記録動作開始までにかかる時間を短縮することができる。よって、複数シートへの画像記録完了までの時間を短縮することが可能となる。
【００２４】
本実施形態において後続シート１ｂの記録動作開始前に予備吐出を実施する条件をまとめた表を、図７に示す。先行シート１ａの後端部と後続シート１ｂの先端部の重なり状態を形成して後続シート１ｂの給送を行う場合は、後続シート１ｂの記録動作開始前の予備吐出を省略する。先行シート１ａの排出を開始してから後続シート１ｂの給送を行う場合は、後続シート１ｂの記録動作開始前に第１の予備吐出を実施する。
【００２５】
図８は、本実施形態において記録動作中に実施する予備吐出の種類と、実施タイミングを示した表である。長時間記録動作が続くと（連続記録時間が長いと）、インク吐出口毎の使用頻度の差によりインク濃度差やインク吐出口の汚れなどが蓄積しうる。そこで記録動作中、前回第１の予備吐出を実施してからの時間を時間判定し、第１の時間経過するごとに第１の予備吐出を実施する。これにより長時間（第１の時間以上）記録動作が続いた場合であっても、吐出不良を防止することができる。記録動作中に予備吐出を行う際は、キャップ２３へ近づく方向にキャリッジ２１を移動させながらインクを吐出して、シート１へ記録を行った後、キャリッジ２１をキャップ２３と対向した位置へ移動させる。
【００２６】
また記録動作中に第１の時間より短い第２の時間ごとに、第２の予備吐出を実施する。第２の予備吐出は第１の予備吐出より少ないインクを吐出する予備吐出動作である。第２の予備吐出を比較的短い間隔で実施することにより、記録動作におけるインク吐出の安定性を高めることができる。記録動作中に第１の予備吐出を実施した場合は、第１の予備吐出を実施してから第２の時間経過したら、第２の予備吐出を実施する。すなわち、前回第１の予備吐出または第２の予備吐出を実施してから第２の時間経過するごとに、第２の予備吐出を実施する。
【００２７】
以上説明したように本実施形態によれば、吐出不良を発生させることなく、複数シートへの画像記録完了までの時間を短縮することが可能となる。
【００２８】
（第２の実施形態）
以下、本発明の第２の実施形態について、添付図面を参照して説明する。なお、インクジェット記録装置の構成等の基本的な部分は第１の実施形態と同様であるため説明を省略し、特徴的な構成のみ説明する。
【００２９】
第１の実施形態では、先行シート１ａの後端部と後続シート１ｂの先端部の重なり状態を形成して後続シート１ｂの給送を行うか否かにより、後続シート１ｂへの記録動作開始前に予備吐出を実施するか否かを判定していた。一方第２の実施形態では、図９に示す方法で先行シート１ａの記録動作終了から後続シート１ｂへの記録動作開始までにかかる時間（以下、非記録時間とする）を推定し、後続シート１ｂへの記録動作開始前に予備吐出を実施するか否かを判定する。
【００３０】
図９は、先行シート１ａの排出および後続シート１ｂの給送にかかる時間を、模式的に示した図である。図９において、先行シート１ａおよび後続シート１ｂへ記録を行う領域を、それぞれ領域５１ａ、領域５１ｂで示している。このとき、先行シート１ａおよび後続シート１ｂへの記録動作開始時に、記録ヘッド２２（シート搬送下流側の端部）がそれぞれのシート上を通過する位置は、位置５２ａ、位置５２ｂである。同様に先行シート１ａおよび後続シート１ｂへの記録動作終了時に、記録ヘッド２２（シート搬送下流側の端部）がそれぞれのシート上を通過する位置は、位置５３ａ、位置５３ｂである。そして、位置５３ａから先行シート１ａの後端が排出されるまでの搬送量は、図９のＬａで示したものとなる。また後続シート１ｂの先端がプラテン１６上に給送されてから位置５２ｂに搬送されるまでの搬送量は、図９のＬｂで示したものとなる。
【００３１】
一方、図９においてＬｃで示したものは、記録シート１の給送および搬送経路上での先行シート１ａの後端から後続シート１ｂの先端までの距離である。距離が変動する場合は、その最大値をＬｃとする。また図４のＳＴ２に示すように重なり状態を維持して後続シート１ｂの頭出しを行う場合、Ｌｃは負の値を取るものとする。
【００３２】
以上で説明したＬａ、Ｌｂ、Ｌｃにより、非記録時間Ｔｎは次のように推定できる。（Ｋ１は、搬送量を時間に変換する係数である。またＫ２は、距離を時間に変換する係数である。）
Ｔｎ＝（Ｌａ＋Ｌｂ）×Ｋ１＋Ｌｃ×Ｋ２
この非記録時間Ｔｎと閾値時間Ｔａの比較により、後続シート１ｂへの記録動作開始前に予備吐出を実施するか否かを判定する。図１０は、第２の実施形態において後続シート１ｂの記録動作開始前に予備吐出を実施する条件をまとめた表である。非記録時間Ｔｎが閾値時間Ｔａ以下の場合、記録動作によるインク吐出を行わない時間も比較的短い。この条件の場合は、後続シート１ｂの記録動作開始前の予備吐出を省略する。それ以外の場合は、後続シート１ｂの記録動作開始前に予備吐出を実施する。
【００３３】
第２の実施形態により、先行シート１ａの後端部と後続シート１ｂの先端部の重なり状態を形成するか否かに関わらず、非記録時間により後続シート１ｂの記録動作開始前の予備吐出を省略することができる。
【００３４】
（第３の実施形態）
以下、本発明の第３の実施形態について、添付図面を参照して説明する。なお、インクジェット記録装置の構成等の基本的な部分は第１の実施形態と同様であるため説明を省略し、特徴的な構成のみ説明する。
【００３５】
第１の実施形態では、先行シート１ａの後端部と後続シート１ｂの先端部の重なり状態を形成して後続シート１ｂの給送を行うか否かにより、後続シート１ｂへの記録動作開始前に予備吐出を実施するか否かを判定していた。一方第３の実施形態では、この条件に加えて、先行シート１ａへの記録動作終了時における、キャリッジ２１とキャップ２３との位置関係により、後続シート１ｂへの記録動作開始前に予備吐出を実施するか否かを判定する。
【００３６】
先行シート１ａの記録動作終了時、キャリッジ２１がキャップ２３に近い場合は、予備吐出のためキャリッジ２１を移動させるのに時間がかからない。第１の予備吐出実施にかかる時間は、図４のＳＴ１に示す方法で後続シート１ｂを給送するのにかかる時間と比べて十分短い。このためキャリッジ２１がキャップ２３に近い場合は、第１の予備吐出を実施しても、先行シート１ａの記録動作終了から後続シート１ｂの記録動作開始までにかかる時間はほとんど変わらない。また記録動作中の予備吐出の実施回数を減らすことが可能な場合があるため、後続シート１ｂの記録動作開始前に第１の予備吐出を実施する。
【００３７】
本実施形態において後続シート１ｂの記録動作開始前に予備吐出を実施する条件をまとめた表を、図１１に示す。先行シート１ａの後端部と後続シート１ｂの先端部の重なり状態を形成して後続シート１ｂの給送を行う場合、かつ先行シート１ａの記録動作終了時、キャリッジ２１がキャップ２３から離れている場合は、後続シート１ｂの記録動作開始前の予備吐出を省略する。先行シート１ａの記録動作終了時、キャリッジ２１がキャップ２３に近い場合、または先行シート１ａの排出を開始してから後続シート１ｂの給送を行う場合は、後続シート１ｂの記録動作開始前に第１の予備吐出を実施する。
【００３８】
一般的に、先行シート１ａの記録動作終了時にキャリッジ２１がキャップ２３から離れているのは、先行シート１ａへの記録動作における最後のキャリッジ２１の移動が、キャップ２３から離れる方向である場合である。そのため、先行シート１ａの記録動作終了時にキャリッジ２１がキャップ２３から離れているか否かを、先行シート１ａの記録動作における最後のキャリッジ２１の移動方向により判定してもよい。このとき、前述の移動方向がキャップ２３から離れる方向である場合、先行シート１ａの記録動作終了時にキャリッジ２１がキャップ２３から離れていると判定する。また、移動方向がキャップ２３に近づく方向である場合、先行シート１ａの記録動作終了時にキャリッジ２１がキャップ２３に近いと判定する。
【００３９】
図８に示した記録動作中の予備吐出実施タイミングに従うと、記録動作開始前に第１の予備吐出を実施する場合は、実施しない場合よりも次の第２の予備吐出の実施タイミングが遅くなる。このとき、記録動作中の予備吐出回数が減る可能性がある。先述の通り、先行シート１ａの記録動作終了時、キャリッジ２１がキャップ２３に近い場合は、記録動作開始前に第１の予備吐出を実施しても、先行シート１ａの記録動作終了から後続シート１ｂの記録動作開始までにかかる時間はほとんど変わらない。一方、記録動作中にキャリッジ２１をキャップ２３へ移動させ、第１の予備吐出を実施すると記録動作にかかる時間が長くなってしまう。以上の理由により、先行シート１ａの記録動作終了時、キャリッジ２１がキャップ２３に近い場合は、記録動作開始前に予備吐出を実施して、記録動作中の予備吐出回数をできるだけ減らすことで、記録動作にかかる時間を短縮することができる。
【００４０】
（第４の実施形態）
以下、本発明の第４の実施形態について、添付図面を参照して説明する。なお、インクジェット記録装置の構成等の基本的な部分は第１の実施形態と同様であるため説明を省略し、特徴的な構成のみ説明する。
【００４１】
第１の実施形態では、記録動作中、前回第１の予備吐出を実施してから第１の時間経過ごとに第１の予備吐出を実施していた。一方第４の実施形態では、前回第１の予備吐出を実施してから第１の時間経過したら、次の記録シートへの記録動作開始前に第１の予備吐出を実施する。
【００４２】
図１２は、第４の実施形態において後続シート１ｂの記録動作開始前に予備吐出を実施する条件をまとめた表である。第１の予備吐出を実施してから第１の時間経過した場合は、記録動作開始前に第１の予備吐出を実施する。第１の時間経過していない場合は、記録動作開始前の予備吐出を省略する。
【００４３】
図１３は、第４の実施形態において記録動作中に実施する予備吐出の種類と、実施タイミングを示した表である。図８とは異なり、第１の予備吐出を実施してから第１の時間経過しても、記録動作中には第１の予備吐出を実施しない。この場合には、次の記録シートへの記録動作開始前に第１の予備吐出を実施する。
【００４４】
第４の実施形態により、比較的実施に時間のかかる第１の予備吐出を記録動作開始前のみ実施することとなる。そのため、複数シートへの画像記録完了までの時間をほとんど変えずに、第１の時間経過後の第１の予備吐出を実施することができる。
【００４５】
（他の実施形態）
以上４つの実施形態において後続シートの給送方法を示したが、後続シートの給送方法は上述のものに限定されるものではない。例えば、図４のＳＴ１に示すような、先行シート１ａの後端部と後続シート１ｂの先端部の重なり状態を形成する給送方法が実施できない構成であってもよい。また上述の実施形態において、後続シート１ｂの記録動作開始前に予備吐出を省略していたが、省略するメンテナンスは予備吐出に限定されるものではない。例えば、インク吐出口の汚れをふき取る動作など、予備吐出以外の記録ヘッド回復動作を省略してもよい。さらに上述の実施形態において、実施する予備吐出の種類や実施タイミングを示したが、これらは上述のものに限定されるものではない。例えば、記録動作中に３種類以上の予備吐出を実施してもよい。また前回実施からの時間経過判定ではなく、記録動作などによる記録シートの搬送量が一定量に達したときに予備吐出を実施するなど、予備吐出実施の判定手段が上述のものと異なってもよい。
【００４６】
第２の実施形態において、非記録時間を図９に示す方法で推定したが、非記録時間の推定方法はこれに限定されるものではない。例えば先行シート１ａへの記録動作完了から、後続シート１ｂの斜行矯正動作完了までの時間を測定し、これを非記録時間として後続シート１ｂへの記録動作開始前に予備吐出を実施するか否かを判定してもよい。
【００４７】
以上の説明では、インクジェット記録装置として実施形態を説明したが、記録方式はインクジェット記録方式に限定されるものではない。
【００４８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４９】
１：記録シート、１１：ピックアップローラ、１２：給送ローラ、１４：搬送ローラ、１５：排出ローラ、２１：キャリッジ、２２：記録ヘッド、２３：キャップ
【図１】
2016043495.tif 000003
【図２】
2016043495.tif 000004
【図３】
2016043495.tif 000005
【図４】
2016043495.tif 000006
【図５】
2016043495.tif 000007
【図６】
2016043495.tif 000008
【図７】
2016043495.tif 000009
【図８】
2016043495.tif 000010
【図９】
2016043495.tif 000011
【図１０】
2016043495.tif 000012
【図１１】
2016043495.tif 000013
【図１２】
2016043495.tif 000014
【図１３】
2016043495.tif 000015